(57)【要約】【課題】ＤＢを含むコンピュータシステムの保守に関して、修正依頼に応じてＳＥ等によりＤＢのデータを修正する作業を効率的かつ安全に行うことができるように支援することができる技術を提供する。【解決手段】本実施の形態のＤＢデータ修正システムは、データパッチＳＱＬ生成ツール１０を備える。顧客からのＤＢのデータの修正依頼に対して、ＳＥは、データパッチＳＱＬ生成ツール１０で、修正値を含む修正依頼内容情報５１を入力する。データパッチＳＱＬ生成ツール１０は、修正依頼内容情報５１の修正値と、修正依頼パターン情報５２から取得した雛形情報５３とを用いて、修正ＳＱＬ文及びバッチファイルを含む修正用情報５４を生成し、指定の出力先へ出力する。【選択図】図１
2015172893.tif 000002
【特許請求の範囲】
【請求項１】
保守の対象である顧客のコンピュータシステムのＤＢのデータの修正依頼に対する、作業者による当該ＤＢのデータの修正の作業を支援する情報処理を行う計算装置を備え、
前記計算装置は、
前記作業者による操作に基づいて前記修正依頼の内容としてデータの修正値を含む情報を修正依頼内容情報として入力する入力部と、
前記修正依頼の内容に関するパターンをパターン情報として保持するパターン情報保持部と、
前記修正依頼内容情報、及びパターン情報を用いて、前記ＤＢのデータの修正のための修正用情報を生成する修正用情報生成部と、
前記生成された修正用情報を、指定された出力先へ出力する出力部と、
を有する、データベースデータ修正システム。
【請求項２】
請求項１記載のデータベースデータ修正システムにおいて、
前記ＤＢのデータの修正のための修正用情報を生成するための雛形情報を保持する雛形情報保持部を有し、
前記パターン情報保持部は、前記修正依頼の内容に応じたパターン情報を取得し、
前記雛形情報保持部は、前記取得されたパターン情報のパターンに応じた雛形情報としてＳＱＬ文及び実行バッチファイルの雛形情報を取得し、
前記修正用情報生成部は、前記取得された雛形情報を用いて、修正用ＳＱＬ文及び実行バッチファイルを含む前記修正用情報を生成し、
前記出力部は、前記生成された修正用ＳＱＬ文及び実行バッチファイルを含む修正用情報を、設定された出力先のフォルダに出力する、データベースデータ修正システム。
【請求項３】
請求項１記載のデータベースデータ修正システムにおいて、
前記入力部は、前記ＤＢのテーブルのキー項目データを修正する修正依頼の内容の情報を入力し、
前記修正用情報生成部は、前記ＤＢのテーブルのキー項目データを修正するための修正用ＳＱＬ文の情報と、前記修正対象のキー項目データに関連するまたは影響する他のテーブルのデータを修正するための修正用ＳＱＬ文の情報と、を含む前記修正用情報を生成する、データベースデータ修正システム。
【請求項４】
請求項１記載のデータベースデータ修正システムにおいて、
前記パターン情報は、前記修正の対象データの抽出条件の情報と、前記修正の対象のテーブル及びデータ項目の情報と、前記修正に関連または影響するテーブルのデータ項目のマトリックスの情報と、を含み、
前記パターン情報保持部は、前記作業者の操作に基づいて、前記パターン情報を入力または取得する、データベースデータ修正システム。
【発明の詳細な説明】
【技術分野】
【０００１】
本発明は、コンピュータ及び情報処理の技術に関する。また本発明は、データベース（ＤＢと略す）の技術に関する。また本発明は、コンピュータシステムの運用維持及び保守の業務におけるシステムエンジニア（ＳＥと略す）等の対応作業を支援する技術に関する。
【背景技術】
【０００２】
企業等の顧客環境におけるＤＢを含むコンピュータシステムの運用においては、リレーショナルＤＢ管理システム（ＲＤＢＭＳ）、及びＳＱＬ等の問い合わせ言語を用いて、ＤＢサーバ等のＤＢのテーブルデータに対してアクセスが行われている。
【０００３】
上記ＤＢを含むコンピュータシステムに関する運用維持及び保守の業務において、必要に応じて、保守員やＳＥ等の人による対応作業が行われている。当該業務内において、顧客からの運用データの修正依頼が生じる場合がある。ＳＥは、修正依頼に対して、運用データであるＤＢのテーブルデータに対する問い合わせのＳＱＬ文等を修正する。
【０００４】
上記ＤＢのデータの修正に関する先行技術例として、特開平１１−２５９３４５号公報（特許文献１）が挙げられる。特許文献１は、ＲＤＢＭＳにおけるテーブルのパラメータを変更する場合にＳＱＬ定義文を編集すること、及びその際に変更するテーブルが大量にある場合は時間が掛かり修正ミスを起こし易いこと、等が記載されている。
【先行技術文献】
【特許文献】
【０００５】
【特許文献１】特開平１１−２５９３４５号公報
【発明の概要】
【発明が解決しようとする課題】
【０００６】
従来、顧客からの修正依頼として、ＤＢ管理しているキー項目データの変更などの、特殊な修正依頼が生じる場合がある。キー項目データは、ＤＢ設計時に確定されているデータである。ＤＢデータ修正として、キー項目データの変更は、通常のシステム運用機能ないしＤＢアクセス管理機能によっては行うことができない。従来、このような特殊なデータ修正作業の依頼があった場合、保守員を通じてＳＥにより対応作業を行っている。
【０００７】
即ち、ＳＥは、そのデータ修正がシステムに与える影響や、その修正データに関連するテーブルデータ等のデータ及び仕様を確認及び調査する。そして、ＳＥにより、対象データだけでなく影響または関連するデータについても一緒に修正するための修正用情報を、手作業で作成する。修正用情報は、データパッチＳＱＬ及びその実行バッチファイル等である。データパッチＳＱＬは、修正用のＳＱＬ文である。
【０００８】
特に、上記修正依頼の発生の都度、以下のような手間や可能性があった。即ち、当該修正依頼があった対象のＤＢの運用データについて、関連または影響があるデータの確認及び調査などに時間が掛かっていた。また修正用情報を手作業で作成する手間が大きかった。またテーブルデータの仕様の理解漏れによる修正漏れや修正誤りの発生の危険性があった。修正用情報を手作業で作成することで、誤ったＳＱＬ文を作成してしまう危険性があった。上記修正誤り等のヒューマンエラーのリスクが高かった。
【０００９】
本発明の目的は、上記ＤＢを含むコンピュータシステムの運用及び保守の業務に関して、修正依頼に応じて保守員やＳＥによりＤＢの運用データを修正する作業を効率的かつ安全に行うことができるように支援することができる技術を提供することである。言い換えると、目的は、ＤＢの運用データの修正の作業について、短時間で少ない手間、且つ修正の漏れや誤り等の危険性を回避できるようにする技術を提供することである。
【課題を解決するための手段】
【００１０】
本発明のうち代表的な実施の形態は、ＤＢのデータの修正を含む作業を支援する情報処理を行うシステムであるデータベースデータ修正システムであって、以下に示す構成を有することを特徴とする。
【００１１】
一実施の形態のデータベースデータ修正システムは、保守の対象である顧客のコンピュータシステムのＤＢのデータの修正依頼に対する、作業者による当該ＤＢのデータの修正の作業を支援する情報処理を行う計算装置を備え、前記計算装置は、前記作業者による操作に基づいて前記修正依頼の内容としてデータの修正値を含む情報を修正依頼内容情報として入力する入力部と、前記修正依頼の内容に関するパターンをパターン情報として保持するパターン情報保持部と、前記修正依頼内容情報、及びパターン情報を用いて、前記ＤＢのデータの修正のための修正用情報を生成する修正用情報生成部と、前記生成された修正用情報を、指定された出力先へ出力する出力部と、を有する。
【発明の効果】
【００１２】
本発明のうち代表的な実施の形態によれば、上記ＤＢを含むコンピュータシステムの運用及び保守の業務に関して、修正依頼に応じて保守員やＳＥによりＤＢの運用データを修正する作業を効率的かつ安全に行うことができるように支援することができる。
【図面の簡単な説明】
【００１３】
【図１】本発明の一実施の形態のデータベースデータ修正システムの構成概要を示す図である。
【図２】一実施の形態のデータベースデータ修正システムの機能ブロックの構成を示す図である。
【図３】一実施の形態のデータベースデータ修正システムの処理フローを示す図である。
【図４】一実施の形態のデータベースデータ修正システムの修正依頼パターン情報の構成を示す図である。
【発明を実施するための形態】
【００１４】
図１〜図４を用いて、本発明の一実施の形態のＤＢデータ修正システムについて説明する。なお実施の形態を説明するための全図において同一部には原則として同一符号を付しその繰り返しの説明は省略する。
【００１５】
［システム構成概要］
図１は、本実施の形態のＤＢデータ修正システムの構成概要を示す。本実施の形態のＤＢデータ修正システムは、顧客環境のＤＢの運用データについての特殊修正依頼に対して、当該ＤＢのデータについての修正用情報５４を自動生成する機能を実現するソフトウェアのツールであるデータパッチＳＱＬ生成ツール１０を備える。データパッチＳＱＬ生成ツール１０は、修正依頼に対するＳＥ対応業務におけるＤＢデータ修正を支援する。データパッチＳＱＬ生成ツール１０による機能は、修正依頼内容情報５１、修正依頼パターン情報５２、雛形情報５３、及び出力先情報５５（図２）等を用いて、修正用情報５４であるデータパッチＳＱＬ及び実行バッチファイルを生成する。
【００１６】
データパッチＳＱＬ生成ツール１０による機能は、データ修正により顧客のコンピュータシステムの誤作動などを招かないように、修正の漏れや抜け、及び修正の誤りが無いような確実な修正用情報５４を生成する。このために、データパッチＳＱＬ生成ツール１０による機能は、修正依頼の対象のテーブルのデータだけでなく、当該データに関連する及び影響があるテーブルデータについての情報を用いて、修正用情報５４を生成する。
【００１７】
図１に示すシステム構成概要は、修正依頼者である企業等の顧客と、修正作業者であるＳＥと、ＳＥが使用する端末１と、端末１に備えるデータパッチＳＱＬ生成ツール１０と、顧客環境におけるＤＢサーバ２を含むコンピュータシステムとを有する。端末１は、顧客のＤＢを含むコンピュータシステムを対象とした運用維持及び保守の業務に使用される。ＤＢサーバ２は、顧客のテスト環境及び本番環境に対応した各サーバ及びＤＢを含む。また運用維持及び保守の業務を行う側の事業者においても、顧客環境のＤＢサーバ２と同様のテスト環境としてのＤＢサーバ２を有する。データ修正は、まず事業者または顧客のテスト環境のＤＢサーバ２のＤＢに対して実行され、その結果が問題無い場合、顧客の本番環境のＤＢサーバ２のＤＢに対して実行される。
【００１８】
図１のＳ１等は、ＤＢデータ修正の際の作業及び処理における概略的な手順を示す。
【００１９】
（Ｓ１）  第１の手順Ｓ１として、顧客は、保守員を通じて、ＳＥに対して、特殊修正依頼として、ＳＥ対応依頼書１０１を提出する。ＳＥ対応依頼書１０１は、ＤＢデータの変更情報が記載される。例として、ＤＢのテーブルのキー項目データの変更の前後の値が指定される。
【００２０】
（Ｓ２）  ＳＥは、端末１で、データパッチＳＱＬ生成ツール１０及びキーボード等の入力手段を用いて、ＳＥ対応依頼書１０１に記載されている修正依頼内容情報５１を入力する。この際、データパッチＳＱＬ生成ツール１０は、修正依頼内容入力部１１（図２）により、修正依頼内容情報５１を格納する。
【００２１】
（Ｓ３）  データパッチＳＱＬ生成ツール１０は、パターン情報取得部１２（図２）により、修正依頼パターン情報５２を取得し、雛形情報取得部１３（図２）により、雛形情報５３を取得する。ＳＱＬ文の雛形等の雛形情報５３は、修正依頼パターン情報５２の中から取得される。
【００２２】
（Ｓ４）  データパッチＳＱＬ生成ツール１０は、修正用情報生成部１４（図２）により、Ｓ２，Ｓ３で入力及び取得したデータ（５１，５２，５３）を用いて、修正用情報５４である修正ＳＱＬ文及び実行バッチファイルを自動生成する。これにより、従来の手作業による修正用情報の作成の手間が削減され、修正の漏れや誤りも防止できる。
【００２３】
（Ｓ５）  データパッチＳＱＬ生成ツール１０は、修正用情報出力部１５（図２）により、Ｓ４で生成された修正用情報５４を、出力先情報５５（図２）で指定されている出力先のフォルダ１０２に出力即ち格納する。
【００２４】
修正用情報５４であるデータパッチＳＱＬ等は、出力先情報５５で指定されるフォルダ１０２に格納される。出力先のフォルダ１０２から、当該修正用情報５４であるデータパッチＳＱＬ等が、テスト環境または本番環境のＤＢサーバ２の対象データへ適用されることにより、対象データが修正される。
【００２５】
修正依頼内容情報５１は、顧客からの特殊修正依頼におけるＳＥ対応依頼書１０１に記載されている変更情報に基づいてＳＥにより入力される修正値の情報を含む。変更情報及び対応する修正値は、あるデータ項目のデータ値を変更ないし修正する前後の情報及び値を示す。
【００２６】
修正依頼パターン情報５２は、顧客から修正を依頼されたパターンの情報であり、ＳＥ対応依頼のパターンの情報であり、後述の図４に示すような情報である。修正依頼パターン情報５２は、一度以上修正依頼を受けて実施したＳＥ対応作業について、パターンとして情報を入力及び保持する。その後に同じまたは類似する修正依頼が来た場合、当該パターン情報を参照することで、修正用情報５４を生成して効率的にＳＥ対応作業を行うことができる。
【００２７】
雛形情報５３は、修正用情報５４を作成するために用いる、ＳＱＬ文の雛形、及び実行バッチファイルの雛形である。雛形情報５３は、修正依頼パターン情報５２の中から得られる。
【００２８】
修正用情報５４は、データパッチＳＱＬ及び実行バッチファイルを含む。データパッチＳＱＬファイルは、テーブルデータの修正ＳＱＬ文である。実行バッチファイルは、当該修正ＳＱＬ文を含むバッチファイルである。
【００２９】
出力先情報５５は、修正用情報５４の出力先を規定するアドレス等の情報である。本実施の形態では、出力先としては、指定されたフォルダ１０２とする。当該フォルダ１０２は、ＤＢのデータと関係付けられる。当該フォルダに出力された修正用情報５４は、対象のＤＢのデータに対して適用され、これにより当該データが修正される。
【００３０】
［データパッチＳＱＬ生成ツール］
図２は、ＤＢデータ修正システムのデータパッチＳＱＬ生成ツール１０を備える端末１を主とした機能ブロック構成を示す。端末１とＤＢサーバ２とが通信網を介して接続される。顧客のコンピュータシステムは、ＤＢ２０を管理するＤＢサーバ２を含む。
【００３１】
端末１は、保守員やＳＥが使用し、顧客のＤＢ２０を含むコンピュータシステムの運用維持及び保守の業務用の情報処理を行う端末やサーバ等の装置である。端末１は、制御部１０、記憶部５０、及び入出力部４０を備える。
【００３２】
制御部１０は、図１のデータパッチＳＱＬ生成ツール１０を構成する。制御部１０は、ＣＰＵやＲＯＭやＲＡＭ等の一般的な要素を含み、メモリに格納されているプログラムを読み出して実行することにより、当該データパッチＳＱＬ生成ツール１０の機能及び対応する処理を実現する。
【００３３】
制御部１０は、プログラム処理により実現される処理部として、以下の構成要素を含む。即ち、制御部１０は、修正依頼内容入力部１１、パターン情報取得部１２、雛形情報取得部１３、修正用情報生成部１４、修正用情報出力部１５、及び設定部１６を含む。
【００３４】
なお制御部１０は、ユーザであるＳＥに対して、各処理部の処理のためにユーザインタフェースとなる画面を提供する。ＳＥは、当該画面で、表示される情報を確認し、必要な情報を入力する。設定部１６は、データパッチＳＱＬ生成ツール１０のシステム設定情報をＳＥの操作に基づいて設定する。
【００３５】
記憶部５０は、格納及び管理されるデータ及び情報として、修正依頼内容情報５１、修正依頼パターン情報５２、雛形情報５３、修正用情報５４、及び出力先情報５５を含む。修正用情報５４は、データパッチＳＱＬ５４ａ及び実行バッチファイル５４ｂを含む。
【００３６】
入出力部４０は、キーボードやマウス等の入力装置、ディスプレイ等の出力装置、及び通信インタフェース装置等を含み、データ入出力処理を行う。
【００３７】
修正依頼内容入力部１１は、ＳＥの操作に基づいて、図１の手順Ｓ１，Ｓ２の際にＳＥ対応依頼書１０１の修正依頼内容（変更情報を含む）の情報を入力し、修正依頼内容情報５１（修正値を含む）として記憶部５０に格納する。
【００３８】
パターン情報取得部１２は、図１の手順Ｓ３の際、修正依頼内容情報５１に応じた、修正依頼パターン情報５２を取得する。修正依頼パターン情報５２は、複数のパターンを含んだ情報群である。修正依頼パターン情報５２の中に雛形情報５３が含まれる。またパターン情報取得部１２は、ＳＥによる操作に基づいて修正依頼パターン情報５２の内容を入力する。
【００３９】
雛形情報取得部１３は、図１の手順Ｓ３の際、修正依頼内容情報５１に応じた、雛形情報５３を取得する。雛形情報取得部１３は、修正依頼内容及びパターンに応じた、ＳＱＬ文の雛形及び実行バッチファイルの雛形の情報を、修正依頼パターン情報５２のパターンの中から取得する。
【００４０】
修正用情報生成部１４は、修正依頼内容入力部１１により入力した修正依頼内容情報５１、パターン情報取得部１２により取得した修正依頼パターン情報５２、雛形情報取得部１３により取得した雛形情報５３を用いて、修正用情報５４を生成する。生成される修正用情報５４は、修正ＳＱＬ文であるデータパッチＳＱＬ５４ａと実行バッチファイル５４ｂとを含む。
【００４１】
修正用情報生成部１４は、修正用情報５４であるデータパッチＳＱＬ５４ａ及び実行バッチファイル５４ｂを作成する処理を、環境毎に行う。各環境として、前述の事業者のテスト用のＤＢ、顧客のテスト用のＤＢ、顧客の本番用のＤＢ等がある。
【００４２】
修正用情報出力部１５は、修正用情報生成部１４により生成された修正用情報５４のファイルを、出力先情報５５で指定されるフォルダ１０２に出力即ち格納する。
【００４３】
顧客環境等の環境別のＤＢサーバ２は、ＤＢ２０と、ＤＢ管理機能とを含む。ＤＢ管理機能は、外部からのＳＱＬによる問い合わせのアクセスを受け付けてＤＢ２０に対する処理を行う。ＤＢ２０は、修正依頼における修正対象となるデータを含むテーブルデータ２１と、テーブルデータ２１の修正対象データに対して関連するまたは影響がある他のデータを含むテーブルデータ２２とを含むデータが格納されている。
【００４４】
［処理］
図３は、本実施の形態のＤＢデータ修正システムの処理フローを示す。図３を用いて、ＳＥによる作業を含む本実施の形態のＤＢデータ修正システムの動作について説明する。
【００４５】
（Ｓ１０１）  ステップＳ１０１では、ＳＥは、顧客からの修正依頼におけるＳＥ対応依頼書１０１に記載されている修正依頼内容である変更情報を確認する。
【００４６】
（Ｓ１０２）  ステップＳ１０２では、ＳＥは、端末１の表示画面を見ながら、キーボード等の入力手段を用いて、ＳＥ対応依頼書１０１に記載されている修正依頼内容である変更情報に対応する修正値を入力する。例えば、あるテーブルのデータ項目の値をＡＡＡからＢＢＢに変更するための修正値が入力される。
【００４７】
（Ｓ１０３）  ステップＳ１０３では、修正依頼内容入力部１１は、Ｓ１０２による入力情報に基づいて、修正依頼内容情報５１を入力及び格納する。
【００４８】
（Ｓ１０４）  ステップＳ１０４では、パターン情報取得部１２及び雛形情報取得部１３は、Ｓ１０３の修正依頼内容情報５１に基づいて、修正依頼パターン情報５２の複数のパターンの情報の中から、雛形情報５３として、ＳＱＬ文の雛形、及び実行バッチファイルの雛形の情報を取得する。
【００４９】
（Ｓ１０５）  次にステップＳ１０５では、修正用情報生成部１４は、Ｓ１０３による修正依頼内容情報５１及びＳ１０４による雛形情報５３に基づいて、修正用情報５４であるデータパッチＳＱＬ５４ａ及び実行バッチファイル５４ｂを生成する処理を行う。
【００５０】
（Ｓ１０６）  ステップＳ１０６では、修正用情報出力部１５は、Ｓ１０５で生成された修正用情報５４のファイルを、指定された出力先のフォルダに出力即ち格納する。この修正用情報５４のファイルが、ＳＥ対応作業のためのファイルとなる。
【００５１】
［修正依頼パターン情報］
図４は、修正依頼パターン情報５２の構成を示す。図４の修正依頼パターン情報５２は、表における管理項目（＃１〜＃５で示す）として、（＃１）修正対象抽出条件と、（＃２）設定対象テーブル、及び（＃３）設定対象データ項目と、（＃４）テーブル項目情報マトリックスと、（＃５）環境接続定義情報とを含む。顧客からの各々の修正依頼は、特殊修正依頼を含め、当該修正依頼パターン情報５２の各管理項目の値の組合せによるパターンで表される。データパッチＳＱＬ生成ツール１０は、修正依頼パターン情報５２の中に含まれている各情報を、修正用情報５４の生成のための雛形情報として用いる。
【００５２】
（＃１）修正対象抽出条件は、修正対象データを抽出する条件の情報である。（＃２）設定対象テーブルは、設定ないし更新の対象となるテーブルを示す情報である。（＃３）設定対象データ項目は、＃２のテーブルにおける設定ないし更新の対象となるデータ項目を示す情報である。（＃４）テーブル項目情報マトリクスは、修正の処理に関係するテーブルのデータ項目（前述の関連または影響があるデータ）の情報をマトリクスの形式で表す情報である。（＃５）環境接続定義情報は、修正用情報５４による修正を適用する対象となる環境を定義する情報であり、前述の事業者のテスト環境、顧客のテスト環境、または顧客の本番環境を表す情報である。
【００５３】
［事例］
修正依頼及びＳＥ対応作業の一例は以下である。顧客のＤＢ２０として、予算情報管理のＤＢとする。当該ＤＢのテーブルのキー項目データとして、案件番号、予算番号、予算名称等が設定されている。また予算番号等が含まれる複数のテーブルが存在する。また業務進捗状況に応じて更新対象のテーブルは異なる。例えば当該ＤＢの予算番号のデータの設定時、複数の類似する予算番号の存在により、顧客により誤った予算番号が指定されて設定されたとする。この場合、正しい予算情報管理はできない。
【００５４】
上記の場合に対応して、顧客からの修正依頼として、誤って設定されている予算番号を正しい予算番号へ付け替えるように修正する依頼が生じる。ＳＥ対応依頼書１０１の変更情報として、誤った予算番号と正しい予算番号とが指定される。この修正依頼に対し、ＳＥによる対応作業として当該ＤＢのデータ、即ち予算番号のデータとそれに関連する各テーブルのデータの修正が行われる。ＳＥは、データパッチＳＱＬ生成ツール１０で前述の修正用情報５４を生成し、当該ＤＢに適用することにより、誤った予算番号を正しい予算番号へ修正する。
【００５５】
［効果等］
本実施の形態のＤＢデータ修正システムによれば、顧客環境のコンピュータシステムにおけるＤＢ２０の運用データの修正依頼に応じて保守員やＳＥにより修正する作業を効率的に行うことができるように支援することができる。本実施の形態によれば、ＤＢ２０の運用データの修正の作業について、短時間で少ない手間で、且つ修正の漏れや誤り等の危険性を回避できる。特に、本実施の形態によれば、通常のシステム運用機能では修正対応できないキー項目データの変更等の、特殊な修正依頼に対して、効率的かつ安全に修正対応できる。特に、本実施の形態によれば、一度実施済みの修正依頼のＳＥ対応作業のパターンに対して、再度の調査等が不要となるので、作業工数が短縮できる。特に、本実施の形態によれば、修正依頼及び修正依頼内容情報５１として、修正の前後の情報を与えるだけで、正確なデータパッチＳＱＬ等が生成できる。よって、修正の漏れや誤った作業等のヒューマンエラーを防止することができる。
【００５６】
以上、本発明者によってなされた発明を実施の形態に基づき具体的に説明したが、本発明は前記実施の形態に限定されるものではなく、その要旨を逸脱しない範囲で種々変更可能であることは言うまでもない。
【産業上の利用可能性】
【００５７】
本発明は、ＤＢを含むコンピュータシステムの運用維持及び保守の業務に利用可能である。
【符号の説明】
【００５８】
１…端末、２…ＤＢサーバ、１０…制御部（データパッチＳＱＬ生成ツール）、１１…修正依頼内容入力部、１２…パターン情報取得部、１３…雛形情報取得部、１４…修正用情報生成部、１５…修正用情報出力部、１６…設定部、２０…ＤＢ、２１，２２…テーブルデータ、４０…入出力部、５０…記憶部、５１…修正依頼内容情報、５２…修正依頼パターン情報、５３…雛形情報、５４…修正用情報、５４ａ…データパッチＳＱＬ、５４ｂ…実行バッチファイル、５５…出力先情報、１０１…ＳＥ対応依頼書、１０２…フォルダ。
【図１】
2015172893.tif 000003
【図２】
2015172893.tif 000004
【図３】
2015172893.tif 000005
【図４】
2015172893.tif 000006